(57)【要約】      （修正有）【課題】壁面への水分の接触を防ぐとともに、厨房台等のフロアーユニットのデザイン性の低下を防止できる壁パネルの取付構造とその取付方法を提供する。【解決手段】壁面１００と接触するように配置されたフロアーユニット２００の上面側に、壁面１００を正面から被うように配置される壁パネル３００を備え、この壁パネル３００とフロアーユニット２００との間にシール部材が取り付けられる壁パネルの取付構造であって、シール部材は、一次シール材３と二次シール材１０で構成され、二次シール材１０は、その水平部１２の下部がフロアーユニット２００の上面と密着し、その水平部２，１２の上面が壁パネル３００の下面と密着し、立上り部１１が壁パネル３００と壁面１００との双方に挟まれていることを特徴とする。【選択図】図１
2006265942.tif 000002
【特許請求の範囲】
【請求項１】
上面で水が扱われ、壁面と接触するように配置される家具の上面側に、前記壁面を正面から被うように配置される壁パネルを備え、この壁パネルと前記家具との間にシール部材が取り付けられる壁パネルの取付構造であって、
前記シール部材は、正面側に配置される一次シール材と、壁面側に配置される二次シール材とで構成され、
前記一次シール材の正面側は化粧面を形成し、前記二次シール材は水平部とこの水平部と連続して前記壁パネルと前記壁面との間に延びる立上り部とを備えて形成され、
前記二次シール材は、その水平部の下部が前記家具の上面と接着固定され、その水平部の上面が前記壁パネルの下面と密着されており、前記立上り部が前記壁パネルと前記壁面との双方に挟まれていることを特徴とする壁パネルの取付構造。
【請求項２】
前記二次シール材の前記水平部の下部は、上部とは別部材をなし、その上部に対して接着固定されたクッション性を有する独立発泡材の防水シール材として形成され、その防水シール材は、上下方向に圧縮された状態で前記家具に接着固定される請求項１に記載の壁パネルの取付構造。
【請求項３】
前記二次シール材は、前記水平部の上部が、前記壁パネルの下面と接触する第一水平部とその第一水平部の下側において該第一水平部と対面する第二水平部とからなり、その第二水平部の下面と前記防水シール材の上面とが接着固定されており、
前記壁パネルには、その外周部を正面側から被うフレーム部材が配置され、そのフレーム部材の背面側には、前記第一水平部と前記第二水平部との間に挿入されて固定される挿入固定部が形成されている請求項２に記載の壁パネルの取付構造。
【請求項４】
前記壁パネルは、化粧面をなす板材の外周をパッキンで被って構成され、
前記フレーム部材は、前記パッキンを正面側から被って取り付けられる請求項３に記載の壁パネルの取付構造。
【請求項５】
壁面と接触するように配置された家具の上面側に、前記壁面を正面から被うように配置される壁パネルを取り付けるとともに、この壁面パネルと前記家具との間にシール部材を設けるための壁パネルの取付方法であって、
前記シール部材は、一次シール材と二次シール材とからなり、その二次シール材は、水平部とこの水平部から連続して上方向に延びる立上り部とを備えて構成され、その水平部の下部は、上部とは別部材をなし、その上部に対して接着固定されたクッション性を有する独立発泡材の防水シール材として形成されるものであり、
前記二次シール材について、前記立上り部の背面を前記壁面と接触させ、前記防水シール材の下面を前記家具の上面と接着固定することで、前記二次シール材を前記家具に固定し、
その二次シール材の前記立上り部の正面と前記水平部の上面との双方の面に、前記壁パネルの下部を当接させ、かつ前記水平部の下部の前記防水シール材を上方向から圧縮した上で、固定部材を用いて前記壁パネルを前記壁面に固定し、
その壁パネルと前記家具との間に、前記二次シール材を隠すようにして、その二次シール材の正面側に前記一次シール材を備える特徴とする壁パネルの取付方法。
【請求項６】
壁面と接触するように配置された家具の上面側に、前記壁面を正面から被うように配置される壁パネルを取り付けるとともに、この壁面パネルと前記家具との間にシール部材を設けるための壁パネルの取付方法であって、
前記シール部材は、一次シール材と二次シール材とからなり、その二次シール材は、水平部とこの水平部から連続して上方向に延びる立上り部とを備えて構成されるとともに、その水平部の上部は、第一水平部とその第一水平部の下側において該第一水平部と対面する第二水平部とを備えて形成され、他方、その水平部の下部は、上部とは別部材をなし、その上部に対して接着固定されたクッション性を有する独立発泡材の防水シール材として形成されるものであり、
前記二次シール材について、前記立上り部の背面を前記壁面と接触させ、前記防水シール材の下面を前記家具の上面と接着固定することで、前記二次シール材を前記家具に固定し、
前記水平部の下部の前記防水シール材を上方向から圧縮した状態で、前記立上り部を固定部材によって固定することで、前記二次シール材を前記壁面に固定し、
その二次シール材の前記立上り部の正面と前記第一水平部の上面との双方の面に、前記壁パネルの下部を当接させ、
背面側に突出する前記第二シール材との挿入固定部を備え、前記壁パネルの外周部を正面側から被うフレーム部材を、その挿入固定部を前記第一水平部と前記第二水平部との間に挿入して、前記フレーム部材を前記二次シール材に固定することで、前記壁パネルを、そのフレーム部材と前記二次シール材の前記立上り部とで挟む形で固定し、
前記壁パネルと前記家具との間に、前記二次シール材を隠すようにして、その二次シール材の正面側に前記一次シール材を備えることを特徴とする壁パネルの取付方法。
【発明の詳細な説明】
【技術分野】
【０００１】
本発明は、壁面に対して隣接又は接触して配置され、天板上で水を扱う家具のうち、壁面に水返し用の壁パネルが取り付けられた構造に関する。
【背景技術】
【０００２】
上面で水を扱う家具としては、上面（ワークトップ）に蛇口やシンク、さらに加熱機器等を備える厨房台をはじめ、収納家具、テーブル、カウンター、洗面台等があり、これらの家具は室内において壁面に当接して配置されるものが多い。こうした家具の上面側には壁面側に水返し部が形成され、水の接触による壁面の腐食・劣化を防止するものがある。
【０００３】
例えば、特許文献１の水返し部は、厨房台天板の上面をなすプレート部が背面側で上方向に延び、さらにその上端が壁面に向かって折り曲げて立上り部が形成されており、その上方向に延びる立上り部が水返し部として機能している。特許文献２の水返し部は、厨房台のシンクの背面側に、両側がホルダにて保持されるガラス板が設けられ、そのガラス板が水返し部として機能している。
【０００４】
【特許文献１】特開平０７−３１３２７６号公報
【特許文献２】特開２００３−０８８４３２号公報
【発明の開示】
【発明が解決しようとする課題】
【０００５】
ところが、近年のこうした家具において、デザイン性がより重要視されるようになった。そのため、厨房台やカウンターテーブル等の場合、天板上に配置されるパーツを可能な限り除き、上面に広いスペースを形成して、全体的にすっきりとしたシンプルな形状にしたいという要望がある。こうした要望に対して、例えば、特許文献２のような水返し部の存在は、厨房台上面のスペース確保と言う点で課題がある。また、特許文献１の場合は、水返し部の上部に壁パネルが設けられ、それらの接触界面が外部に対してライン状に表れている。このように、化粧面をなす壁面の途中部分にデザイン的意図のないラインが表れるような場合、厨房台の、ひいてはキッチン全体の美感を損ねる可能性がある。
【０００６】
本発明は、上記課題に鑑みてなされたものであり、壁面への水分の接触を防ぐとともに、家具のデザイン性の低下を防ぐことができる壁パネルの取付構造とその取付方法を提供することを目的とする。
【課題を解決するための手段および発明の効果】
【０００７】
上記課題を解決するために、本発明の壁パネルの取付構造の第一は、上面で水が扱われ、壁面と接触するように配置される家具の上面側に、壁面を正面から被うように配置される壁パネルを備え、この壁パネルと家具との間にシール部材が取り付けられる壁パネルの取付構造であって、シール部材は、正面側に配置される一次シール材と、壁面側に配置される二次シール材で構成され、一次シール材の正面側は化粧面を形成し、二次シール材は水平部とこの水平部と連続して前パネルと壁面との間に延びる立上り部とを備えて形成され、二次シール材は、その水平部の下部が家具の上面と接着固定し、その水平部の上面が壁パネルの下面と密着し、立上り部が壁パネルと壁面との双方に挟まれていることを特徴とする。
【０００８】
上記構成によれば、壁パネルとシール部材とが水返し効果を備えるため、壁パネルの奥の壁面への水分の付着を防ぐことができる。また、そのシール部材が、一次シール材と二次シール材とからなる二重シール構造として形成されるため、例え一次シール材が劣化して水の浸入を許したとしても二次シール材によって、奥の壁面への水分の付着を防止できる。さらに、二次シール材は、壁パネルと水平部との界面から万が一にも若干の水の浸入を許す可能性を有するが、その水平部から連続する立上り部が形成されていることで、水がその立上り部を乗り越えて奥の壁面に達することはない。つまり、この立上り部の存在により、本発明の壁パネルの取付構造は、一次シール材と二次シール材の水平部と二次シール材の立ち上がりとからなる三重のシール構造と言える構造となっている。また、壁パネルを配置する場合に、水平部と立上り部とからなる角部にその壁パネルを係合させて配置することができるため、壁パネルを安定して配置することができる。また、上記構成によれば、化粧面をなす壁パネルには、その中間部分にラインが形成されないため、水返し部の形成によって化粧面中間部にラインが生じ、デザイン性を低下させることもない。なお、本発明における家具とは、上面（ワークトップ）で水が扱われ、壁面に対して接触して配置される家具であり、例えば上面で水がこぼれて壁面にかかる危険を有するような家具である。具体的には、キッチンテーブル、カウンターテーブル、収納家具、洗面台、シンクや加熱機器等を備える厨房台等の家具が含まれる。
【０００９】
また、本発明の壁パネルの取付構造の第二は、上記構造において、二次シール材の水平部の下部は、上部とは別部材をなし、その上部に対して接着固定されたクッション性を有する独立発泡材の防水シール材として形成され、その防水シール材は、上下方向に圧縮された状態で家具に接着されるものであってもよい。
【００１０】
上記構成によれば、水平部の下部に設けられる防水シール材は、防水効果を有する独立発泡材であるため十分なシール効果を有しており、またこれが圧縮されていることで一層高いシール性を得ている。また、この防水シール材の圧縮変形は、家具上面の形状に応じてなされるため、家具上面が水平面でない場合、例えば、傾斜する、あるいは凹凸があるような場合であっても、その上面形状に応じて変形するため、家具上面がどのような形状であっても、その形状が水平部の上部及び立上り部の配置位置に影響を与えることはなく、ひいてはその上部に配置される壁パネルの配置にも影響を与えることがない。
【００１１】
上記壁パネルの取付構造を形成するための本発明の壁パネルの取付方法は、壁面と接触するように配置された家具の上面側に、壁面を正面から被うように配置される壁パネルを取り付けるとともに、この壁面パネルと家具との間にシール部材を設けるための壁パネルの取付方法であって、シール部材は、一次シール材と二次シール材とからなり、その二次シール材は、水平部とこの水平部から連続して上方向に延びる立上り部とを備えて構成され、その水平部の下部は、上部とは別部材をなし、その上部に対して接着固定されたクッション性を有する独立発泡材の防水シール材として形成されるものであり、二次シール材について、立上り部の背面を壁面と接触させ、防水シール材の下面を家具の上面と接着固定することで、前記二次シール材を家具に固定し、その二次シール材の立上り部の正面と水平部の上面との双方の面に、壁パネルの下部を当接させ、かつ水平部の下部の前記防水シール材を上方向から圧縮した上で、固定部材を用いて壁パネルを壁面に固定し、その壁パネルと家具との間に、二次シール材を隠すようにして、その二次シール材の正面側に一次シール材を備える特徴とする。これにより、上記本発明の壁パネルの取付構造を形成することができる。
【００１２】
また、本発明の壁パネルの取付構造の第三は、上記構造に加えて、二次シール材は、水平部の上部が、壁パネルの下面と接触する第一水平部とその第一水平部の下側において該第一水平部と対面する第二水平部とからなり、その第二水平部の下面と防水シール材の上面とが接着固定されており、壁パネルには、その外周部を正面側から被うフレーム部材が配置され、そのフレーム部材の背面側には、第一水平部と第二水平部との間に挿入されて固定される挿入固定部が形成されているものであってもよい。
【００１３】
上記構成によれば、化粧面をなす壁パネルの外周全周を囲うフレームを配置することができ、壁パネルのデザイン性を増すことができる。また、水平部を１つ追加するだけで、二次シール材にフレーム部材の取付構造を設けることができる。
【００１４】
また、壁パネルは、化粧面をなす板材の外周をパッキンで被って構成され、フレーム部材は、パッキンを正面側から被って取り付けられていてもよい。壁パネルを構成する板材がガラスなどの場合は外周にパッキンが設けられるが、フレーム部材でこのパッキンを被うことで、パッキンの露出によるデザイン性の低下を防止できる。
【００１５】
上記壁パネルの取付構造を形成するための、本発明の壁パネルの取付方法は、壁面と接触するように配置された家具の上面側に、壁面を正面から被うように配置される壁パネルを取り付けるとともに、この壁面パネルと家具との間にシール部材を設けるための壁パネルの取付方法であって、シール部材は、一次シール材と二次シール材とからなり、その二次シール材は、水平部とこの水平部から連続して上方向に延びる立上り部とを備えて構成されるとともに、その水平部の上部は、第一水平部とその第一水平部の下側において該第一水平部と対面する第二水平部とを備えて形成され、他方、その水平部の下部は、上部とは別部材をなし、その上部に対して接着固定されたクッション性を有する独立発泡材の防水シール材として形成されるものであり、二次シール材について、立上り部の背面を壁面と接触させ、防水シール材の下面を家具の上面と接着固定することで、二次シール材を家具に固定し、水平部の下部の防水シール材を上方向から圧縮した状態で、立上り部を固定部材によって固定することで、二次シール材を壁面に固定し、その二次シール材の立上り部の正面と第一水平部の上面との双方の面に、壁パネルの下部を当接させ、背面側に突出する第二シール材との挿入固定部を備え、壁パネルの外周部を正面側から被うフレーム部材を、その挿入固定部を第一水平部と第二水平部との間に挿入して、フレーム部材を二次シール材に固定することで、壁パネルが、そのフレーム部材と二次シール材の立上り部とに挟まれて固定され、その壁パネルと家具との間に、二次シール材を隠すようにして、その二次シール材の正面側に一次シール材を備えることを特徴とする。これにより、上記本発明の壁パネルの取付構造を形成することができる。
【発明を実施するための最良の形態】
【００１６】
以下、本発明の壁パネルの取付構造について説明する。本発明の壁パネルの取付構造は、図１や図３、さらに図７に示すような、壁面１００と接触するように配置されたフロアーユニット（家具）２００の上面側に、その壁面を正面から被うように配置される壁パネル３００（又は４００）を備え、この壁パネル３００とフロアーユニット２００との間にシール部材が取り付けられる構造を基本構造とし、そのシール部材として、正面側に一次シール材３０（又は３０）、壁面側に二次シール材１０（又は１０Ａや１０Ｂ）が形成されて、壁面１００と、フロアーユニット２００及び壁パネル３００との間に水分が侵入することを防ぐ構造として形成される。フロアーユニット２００としては、キッチンテーブル、カウンターテーブル、収納家具、特には、蛇口やシンクを備える厨房台や洗面台等、上面において水を扱う家具等を想定している。このような厨房台等の家具は非常に長い期間使用されるものであるが、シール部材の耐用年数はそれ以下であるため、一定期間が過ぎるとシール効果が得られなくなる。従って、本構造においては、一次シール３（又は３０）材の背後に二次シール材１０（又は１０Ａ、１０Ｂ）を設けた二重シール構造を形成し、一次シール材３０（又は３０）が劣化してシール効果が弱まった場合においても、二次シール材１０（又は１０Ａ、１０Ｂ）によってシール効果が残るように構成されている。
【００１７】
図１は、本発明の壁パネルの取付構造の第一の実施例を示す図である。図１では、壁面１００に対して接触するように厨房台等のフロアーユニット２００が配置され、その上面には、正面側に一次シール材３が、奥の壁面側に二次シール材１０が形成されて、二重シール構造を形成している。
【００１８】
二次シール材１０は、図２に示すように、水平部１２と、その水平部１２の壁面側の端部から上方向に延びる立上り部１１とからなる断面略Ｌ字形の防水エッジ材１と、その水平部１２の下面の接着部材１ａとからなる。この防水エッジ材１は、その水平部１２の下面が両面接着材等の接着部材１ａによってフロアーユニット２００の上面に接着固定され、立上り部１１が壁面と面接触して配置される。また、立上り部１１の正面と水平部１２の上面とは、壁パネル３００の背面側下部と面接触する。この防水エッジ材１は、弾性変形可能なポリ塩化ビニル樹脂からなるシール材である。なお、本実施例では、図２に示すように、立上り部１１と水平部１２とからなる二次シール材１０の角部は、防水エッジ材１をフロアーユニット２００に組み付ける前の状態（図２）において、壁パネル３００の背面側下部の角部形状に一致するように直角をなして形成されている。しかしながら本発明では、その二次シール材１０の角部は、その組み付け前においては、必ずしも壁パネル３００の背面側下部の角部形状と同じとする必要は無く、例えば鋭角や鈍角をなして形成されていてもよい。二次シール材１０は、少なくとも壁面１００、フロアーユニット２００、及び壁パネル３００とに組み付けられた際に、弾性変形して壁パネル３００の背面側下部の角部形状に一致する形状となり、これらと面接触するように構成されていればよい。
【００１９】
壁パネル３００は、心材３０１と、その心材３０１の正面・両側面・上下面を被う箱形状のウォール材３０２とで構成される。この壁パネル３００は、心材３０１がビス等の締結部材５０によって壁面１００に対して固定され、ウォール材３０２が二次シール材１０の水平部１２の上面に面接触し、その上面から所定の圧力を受ける形で嵌め込まれる。
【００２０】
一次シール材３は、壁パネル３００とフロアーユニット２００との間の正面側に配置されて、壁パネル３００とフロアーユニット２００との間を塞いでいる。本実施例における一次シール材３は、下面の両面接着材である接着部材３ａによってフロアーユニット２００に接着され、かつ上面から壁パネル３００によって押圧されることで、フロアーユニット２００と壁パネル３００との間をシールしている。一次シール材３の正面側は化粧面として外部に露出している。なお、本発明における一次シール材は、接着材料などを用いることなく壁パネル３００とフロアーユニット２００との間に正面側から圧入固定される、あるいは、シリコンゴム等を溶着する、等の方法で形成してもよく、少なくとも壁パネル３００とフロアーユニット２００との間の正面側を塞ぐ防水シール材として機能するものであればよい。
【００２１】
このような壁パネル３００の取付構造の場合、一次シール材３が劣化する等、一次シール材３のシール効果が弱まる、あるいはシール効果が無くなった場合に、一次シール材３に替わって二次シール材１０が進入する水をシールすることになる。上記構成によれば、二次シール材１０は、防水エッジ材１の水平部１２による密着構造部によって、そうした水が壁面１００に接触することを防いでいる。ただし、二次シール材１０の水平部１２と壁パネル３００とは、壁パネル３００を容易に配置するために、あえて接着部材等による接着固定は行っていない。このため、二次シール材１０側に相当量の水が進入するような場合は、その水の一部が、壁パネル３００と水平部１２との界面を介して壁面１００側に侵入する可能性がある。しかしながら、上記構造によれば、立上り部１１が形成されていることで、界面から進入した水はその立上り部１１によって壁面１００側への侵入を妨げられ、その立上り部１１を越えて壁面１００に達するようなことはない。フロアーユニット２００が、厨房台である場合には、この立上り部１２は、少なくとも上方向に１５ｍｍ以上、望ましくは１８ｍｍ以上の高さで形成されていれば、そこで扱われる水の侵入を二次シール材１０によって十分に防ぐことができる。また、水平部１２の幅が立上り部１１の幅より厚く形成されていることで、水平部１２は正面側からの水の侵入を効果的に防ぐことができるとともに、立上り部はその幅が狭いことで壁パネル３００との間の隙間を狭くすることができる。
【００２２】
図３は、本発明の壁パネルの取付構造の第二の実施例を示す図である。図３では、壁面１００に対して接触するように厨房台等のフロアーユニット２００が配置され、その上面には、正面側に一次シール材３０が、奥の壁面側に二次シール材１０Ａが形成されて、二重シール構造を形成している。
【００２３】
二次シール材１０Ａは、図４に示すように、水平部１２と、その水平部１２の壁面側の端部から上方向に延びる立上り部１１とからなる断面略Ｌ字形の防水エッジ材１Ａと、その防水エッジ材１Ａの水平部１２の下面にて両面接着材等の接着部材１ａによって接着されたクッション性（圧縮性）を有する防水シール材２とからなる。防水エッジ材１Ａは、ポリ塩化ビニル樹脂からなるシール材であり、上記実施例の防水エッジ材１と同様である。防水シール材２は、ウレタン又は塩化ビニル樹脂等を基材とするクッション性を有する独立発泡構造のシール材からなり、その下面に両面接着材等の接着部材２ａを備える。なお、この実施例における水平部１２及び防水シール材２からなる密着構造部は、本発明における水平部に相当する。この二次シール材１０Ａは、図３に示すように、下面の接着部材２ａによってフロアーユニット２００に接着固定されてフロアーユニット２００と二次シール材１０Ａとの界面をシールしている。また、立上り部１１が壁面１００と面接触して配置され、その立上り部１１の正面と水平部１２の上面と面接触する形で壁パネル３００が配置される。この面接触により、水平部１２と壁パネル３００との間がシールされる。
【００２４】
なお、この実施例においては、防水シール材２はクッション性（圧縮性）を有しており、フロアーユニット２００の上面に圧縮された状態で配置されている。これにより、防水シール材２は、図５の（ａ）に示すような上面が傾斜面２０１ａのように傾斜したフロアーユニット２０１や、表面に凸部２０２ａを有するような上面に凹凸を有するフロアーユニット２０２に対して、その上面形状に応じた圧縮変形が生じる。従って、フロアーユニット上面がどのような形状であっても、フロアーユニットの上面に対して密着して配置することができ、防水シール材２とフロアーユニットとの間をシールできる。また、防水シール材２が圧縮変形することにより、防水シール材２の上部に接着された水平部１２の上面の配置位置は、そのフロアーユニット上面の形状の影響を受けることがない。従って、その水平部１２の上面に配置される防水エッジ材１Ａの配置にも影響を与えることがなく、ひいてはその防水エッジ材１Ａの上部に配置される壁パネル３００の配置にも影響を与えることがない。つまり、フロアーユニットの上面の形状が、壁パネル３００の配置に影響を与えることがないため、壁パネル３００を安定して配置することができる。
【００２５】
壁パネル３００は、心材３０１と、その心材３０１の正面・両側面・上下面を被う箱形状のウォール材３０２とで構成される。この壁パネル３００は、心材３０１がビス等の締結部材５０によって壁面１００に対して固定され、ウォール材３０２が二次シール材１０Ａの水平部１２の上面に面接触し、その上面から所定の圧力を受ける形で嵌め込まれる。
【００２６】
一次シール材３０は、壁パネル３００とフロアーユニット２００との間を塞ぐ形で、壁パネル３００の正面側下部に形成される。この実施例における一次シール材３０は、シリコンゴム等のシール材からなり、その正面側は化粧面として外部に露出する。なお、この一次シール材３０は、上記実施例と同様のもの、あるいは他の形状・他の材料からなるものであってもよい。
【００２７】
この実施例の場合、二次シール材１０Ａは、水平部１２及び防水シール材２とからなる密着構造部（本発明の水平部）によって、一次シール材３０側から進入してきた水の壁面１００への接触を防ぐ。二次シール材１０Ａ側に相当量の水が進入するような場合、その水の一部が壁パネル３００と水平部１２との界面を介して壁面１００側に侵入する可能性があるが、立上り部１１が形成されていることで、その水が立上り部１１を越えて壁面１００に達するようなことはない。フロアーユニット２００が、厨房台である場合には、この立上り部は、少なくとも１５ｍｍ以上、望ましくは１８ｍｍ以上で形成されていれば、そこで扱われる水の侵入を二次シール材１０Ａによって十分に防ぐことができる。
【００２８】
以下、壁パネルの取付構造の上記の実施例について、その壁パネルの取付方法を説明する。上記の実施例を形成するためには、まず、断面略Ｌ字形の防水エッジ材１Ａと、上下両面に両面接着材等の接着部材１ａ，２ａを備える防水シール材２とを形成する。その上で、図６の（ａ）に示すように、その防水エッジ材１Ａの水平部１２の下面に防水シール材２を接着部材１ａによって接着固定することで、二次シール材１０Ａを形成する。なお、このとき、二次シール材１０Ａの防水エッジ材１Ａは、必ずしも壁パネル３００の接触部分の形状をなすような直角の折れ曲がり形状をなす必要は無い。また、フロアーユニット２００の上面が凹凸や傾斜のない平坦面である場合、二次シール材２の下部には、必ずしも防水シール材は必要ではなく、図２のように防水エッジ材とその下面の接着部材とによって構成されていてもよい。
【００２９】
次いで、図６の（ｂ）に示すように、二次シール材１０Ａの立上り部１１の背面を壁面１００と接触させ、防水シール材２の下面をフロアーユニット２００の上面と接着固定することで、二次シール材１０Ａをフロアーユニット２００に対して固定する。さらに、固定された二次シール材１０Ａの立上り部１１の正面と水平部１２の上面との双方の面に、壁パネル３００の下部を当接させる。当接時には、水平部１２の下部の防水シール材２をフロアーユニット２００の上面形状に合わせて上方向から圧縮変形させる。
【００３０】
この状態で、図６の（ｃ）のように、ビス等の締結部材（固定部材）５０を用いて壁パネル３００の心材３０１を壁面１００に固定する。壁面に固定された心材３０１の下端は、二次シール材１０Ａの立上り部を壁面１００に押圧するため、これによって二次シール材１０Ａは壁面１００に対して固定される。そして、図６の（ｄ）のように、心材３０１と水平部１２との隙間に、ウォール材３０２を、その下面が水平部１２の上面と接触する形で嵌入して固定する。なお、この段階で、二次シール材１０Ａの防水エッジ材１Ａは、壁パネル３００の接触部分の形状をなすように弾性変形して折れ曲がり、二次シール材１０Ａの角部と壁パネル３００の角部とが面接触状態となる。
【００３１】
その後、二次シール材１０Ａが挟まれたことで生じた壁パネル３００とフロアーユニット２００との間の隙間の正面側に、その二次シール材１０Ａを隠すようにして、一次シール材３０を溶着する。これにより、上記の実施例の壁パネルの取付構造が形成される。
【００３２】
次に、本発明の第三の実施例を説明する。図７は、本発明の壁パネルの取付構造の第三の実施例を示す図である。図７では、壁面１００に対して接触するように厨房台等のフロアーユニット２００が配置され、その上面には、正面側に一次シール材３０が、奥の壁面側に二次シール材１０Ｂが形成されて、二重シール構造を形成している。
【００３３】
二次シール材１０Ｂは、図８に示すように、第一水平部１３と、その第一水平部１３と所定間隔を置いて対面する第二水平部１４と、これらの水平部１３，１４の壁面側の端部から連続して上方向に延びる立上り部１５とからなる断面略Ｆ字形の防水エッジ材１Ｂと、その防水エッジ材１Ｂの第二水平部１４の下面にて両面接着材等の接着部材１ａによって接着されたクッション性（圧縮性）を有する防水シール材２とからなる。防水エッジ材１Ｂは、アルミ製シール材である。防水シール材２は、上記実施例と同様に、ウレタン又は塩化ビニル樹脂等を基材とするクッション性を有する独立発泡構造のシール材からなり、その下面に両面接着材等の接着部材２ａを備える。なお、本発明における水平部とは、この実施例においては、上記の第一水平部１３、第二水平部１４、及び防水シール材２からなる密着構造部に相当する。この二次シール材１０Ｂは、図３に示すように、下面の接着部材２ａによってフロアーユニット２００に接着されて、フロアーユニット２００との間をシールしている。また、立上り部１５が壁面と面接触して配置され、その上部がビス等の締結部材５０によって壁面１００に固定され、さらに、立上り部１５の正面と第一水平部１３の上面と面接触する形で壁パネル３００が配置される。これにより、二次シール材１０Ｂは、壁パネル３００との間をシールしている。なお、防水シール材２は、フロアーユニット２００の上面に圧縮された状態で配置されており、上記第二の実施例と同様の機能を果たすことができる。
【００３４】
壁パネル４００は、ガラス等の板材４０１と、その板材４０１の中心部が化粧面となるように、その外周部を全周にわたって被うパッキン４０２とで構成される。この壁パネル４００は、パッキン４０２の正面側を被うようにして配置されるフレーム部材４によって壁面側に固定される。フレーム部材４は、化粧面をなすフレーム部４１と、そのフレーム部４ａの背面側下部に壁面側に突出して設けられた挿入固定部４２が形成されており、その挿入固定部４２を壁面１００とフロアーユニット２００とに固定された二次シール材１０Ｂの第一水平部１３と第二水平部１４との間に挿入して固定される。これにより、壁パネル４００は、フレーム部材４のフレーム部４１の上部と二次シール材１０Ｂの立上り部１５とによって、壁パネル４００の外周部（パッキン４０２）が挟み込まれて、壁面側に固定される。なお、二次シール材１０Ｂが、上記第一実施例の防水エッジ材１Ａよりも弾性変形を生じにくいアルミ製シール材として構成されていることで、第一水平部１３と第二水平部１４とからなるフレーム部材４の取付構造部の変形が生じにくくなっており、フレーム部材４を安定して取り付けることができる。
【００３５】
一次シール材３０は、上記実施例と同様にして形成することができる。ここでは、シリコンゴム等のシール材として、壁パネル４００とフロアーユニットとの間を塞いで形成されており、その正面側が化粧面として外部に露出している。
【００３６】
このような壁パネル４００の取付構造の場合、上記実施例と同様の効果が得られるとともに、壁パネル４００がガラスなどの板材４０１の外周部にパッキン４０２を備えるようなものであっても、フレーム部材４を配置してそのパッキン４０２を外部に対して隠すことができるため、パッキンの露出による意匠性の低下を防ぐことができる。また、シール効果を果たす二次シール材１０Ｂには、そのフレーム部材４を取り付けるための取付構造部が形成され、フレーム取付部としても機能する。
【００３７】
以下、壁パネルの取付構造の上記第三の実施例について、その壁パネルの取付方法を説明する。上記第二の実施例を形成するためには、まず、断面略Ｆ字形の防水エッジ材１Ｂと、上下両面に両面接着材等の接着部材１ａ，２ａを備える防水シール材２とを形成する。その上で、図９の（ａ）に示すように、その防水エッジ材１Ｂの第二水平部１４の下面に防水シール材２を接着部材１ａによって接着固定することで、二次シール材１０Ｂを形成する。
【００３８】
次いで、図９の（ｂ）に示すように、二次シール材１０Ｂの立上り部１５の背面を壁面１００と接触させ、防水シール材２の下面をフロアーユニット２００の上面と密着固定することで、二次シール材１０Ｂをフロアーユニット２００に対して固定する。このとき、第二水平部１４の下部の防水シール材２をフロアーユニット上面形状に合わせて上方向から圧縮変形させる。この状態で、ビス等の締結部材（固定部材）５０を用いて、二次シール材１０Ｂを壁面１００に固定する。
【００３９】
そして、固定された二次シール材１０Ｂの第一水平部１３と第二水平部１４との間の隙間に、フレーム部材４の挿入固定部４２を挿入する。これにより、フレーム材４のフレーム部４１が、パッキン４０２を被う。その後、二次シール材１０Ｂが挟まれたことで生じたフレーム部材４とフロアーユニット２００との間の隙間の正面側に、その二次シール材１０Ｂを隠すようにして、一次シール材３０を溶着する。これにより、上記第二の実施例の壁パネルの取付構造が形成される。
【００４０】
以上、本発明の実施例を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００４１】
【図１】本発明の壁パネルの取付構造の第一実施例を示す断面図。
【図２】図１の二次シール材の斜視断面図。
【図３】本発明の壁パネルの取付構造の第二実施例を示す断面図。
【図４】図３の二次シール材の斜視断面図。
【図５】フロアーユニット上面が異なる場合における二次シール材の取り付け状態を示す図。
【図６】壁パネルの取付構造を形成するための第一の方法を示す図。
【図７】本発明の壁パネルの取付構造の第三実施例を示す断面図。
【図８】図７の二次シール材の斜視断面図。
【図９】壁パネルの取付構造を形成するための第二の方法を示す図。
【符号の説明】
【００４２】
１、１Ａ，１Ｂ  防水エッジ材
１０、１０Ａ，１０Ｂ  二次シール材
１１、１５  立上り部
１２  水平部
１３  第一水平部
１４  第二水平部
２  防水シール材
３、３０  一次シール材
４  フレーム材
４１  フレーム部
４２  挿入固定部
５０  締結部材（固定部材）
２００，２０１，２０２  フロアーユニット（家具）
３００，４００  壁パネル
【図１】
2006265942.tif 000003
【図２】
2006265942.tif 000004
【図３】
2006265942.tif 000005
【図４】
2006265942.tif 000006
【図５】
2006265942.tif 000007
【図６】
2006265942.tif 000008
【図７】
2006265942.tif 000009
【図８】
2006265942.tif 000010
【図９】
2006265942.tif 000011